(57)【要約】【課題】厚みの大きい物品が確実に挟持できる挟持力の強い保持具であっても、簡単に操作でき、かつ意匠性に優れる物品保持具を提供する。【解決手段】カウンター（２）の側周面に取り付けて使用される物品保持具（１０）であって、物品を挟持可能に対向配置される一対の挟持片部（１１）と、該一対の挟持片部（１１）を前記カウンター（２）に取り付けるための取付部（２０）とを備え、前記挟持片部（１１）を覆うカバー体（１５）が前記挟持片部（１１）の反取付部側の開放端部側に枢軸（１４）されている【選択図】図１
2009183527.tif 000002
【特許請求の範囲】
【請求項１】
カウンター（２）の側周面に取り付けて使用される物品保持具（１０）であって、物品を挟持可能に対向配置される一対の挟持片部（１１）と、該一対の挟持片部（１１）を前記カウンター（２）に取り付けるための取付部（２０）とを備え、前記挟持片部（１１）を覆うカバー体（１５）が前記挟持片部（１１）の反取付部側の開放端部側に枢軸（１４）されていることを特徴とする物品保持具。
【請求項２】
前記カバー体（１５）は、前記枢軸（１４）を支軸として、取付部側に付勢する付勢手段（１７）を備え、反枢軸側端部近傍に手掛り部（１６）を設けたことを特徴とする請求項１に記載の物品保持具。
【発明の詳細な説明】
【技術分野】
【０００１】
この発明は、カウンタの側周面に取り付けて使用される、布巾やタオル等の物品保持具に関する。
【背景技術】
【０００２】
従来、キッチンカウンタや洗面カウンタに取り付けられ、布巾やタオル等を簡単に保持できるとともに、使用する際に保持した布巾やタオル等の物品が簡単にずれ落ちることがない物品保持具として、例えば、特許文献１のように、物品を狭持可能に対向配置される一対の挟持片部と、該一対の挟持片部をカウンタに取り付けるための取り付け部と、を備え、前記一対の挟持片部における開放端部には、前記一対の挟持片部の開放端部間に挿入された物品を保持する保持片部が他方の挟持片部に向けて突設されており、該保持片部は、その先端部が他方の挟持片部の開放端部よりも内側に位置するように形成されるとともに、外面には物品を挿入方向に向けて案内する案内面が形成されたものが開示されている。
【０００３】
【特許文献１】特開２００７−１６７１８２号
【発明の開示】
【発明が解決しようとする課題】
【０００４】
しかしながら、上記特許文献１に記載の物品の保持具（物品保持具）は、物品の一端部を挟持片部間に向けて押し込むことで、挟持片部を手で開放することなく、物品を簡単に保持させることができるとともに、内部に挿入された物品は保持片部にて保持されるので、簡単に抜け落ちることがないものの、挟持力にもよるが、タオル等を折り畳んで厚みの大きいものを保持させるには、挟持片部を手で開放しながら押し込む必要があり、色んな厚みの物品への対応には、若干操作性に劣る点があった。
【０００５】
この発明は、かかる現状に鑑み創案されたものであって、その目的とするところは、色んな物品厚みのものにも対応でき、また、厚みの大きい物品が確実に挟持できる挟持力の強い保持具であっても、簡単に操作でき、かつ意匠性に優れる物品保持具を提供しようとするものである
【課題を解決するための手段】
【０００６】
上記課題を解決するために、本発明の請求項１に記載の物品保持具は、カウンタの側周面に取り付けて使用される物品保持具であって、物品を挟持可能に対向配置される一対の挟持片部と、該一対の挟持片部を前記カウンタに取り付けるための取付部とを備え、前記挟持片部を覆うカバー体が前記挟持片部の反取付部側の開放端部側に枢軸されている。
【０００７】
この発明にあっては、物品保持具の前面がカバー体で覆われているため、物品を挟持しない場合の見栄えがよく、該カバーを掴んで保持空間を開放しやすく、厚みのある物品も押し込みやすく且つ挟持力を強くできるので、使用時に物品を引っ張っても外れ難い。
【０００８】
また、本発明の請求項２に記載の物品保持具は、請求項１の発明に加えて、カバー体は、前記枢軸を支軸として取付部側に付勢する付勢手段を備え、反枢軸側端部近傍に手掛り部が設けられている。
【０００９】
この発明にあっては、請求項１の効果に加え、カバー体に手掛り部が設けられており該手掛り部を手前側に引っ張って挟持片部の空間部を広げやすく、また、未使用時には付勢手段によりカバー体が挟持片部を確実に覆い、ぶらつかせないため見栄えがよい。
【発明の効果】
【００１０】
以上説明したように、本発明で物品保持具は、色んな厚みの物品の吊下げに対応でき、また、厚みの大きい物品が確実に挟持できる挟持力の強い保持具であっても、簡単に操作でき、かつ意匠性に優れるという効果を有する。
【発明を実施するための最良の形態】
【００１１】
本発明に係る物品保持具を実施するための最良の形態を実施例に基づいて以下説明する。
【実施例１】
【００１２】
本発明の実施例を図面に基づいて説明すると、先ず図１は、実施例１における物品保持具をキッチン台の引出し前板に取り付けた状態を示す斜視図であり、図２は本実施例１のカバー体を回動させた時の斜視図であり、図３は図１の物品保持具のＡ−Ａ縦断面図であり、図４は本実施例１の取付部の構造を説明する斜視図であり、図５は、本発明の物品保持具を取付た状態のキッチン台を示している。
以下、図１の紙面左下側を物品保持具の正面側（手前側）とし、紙面右上側を後面側（奥側）として説明する。なお、キッチン台の説明では、図５の紙面左下側をキッチン台の正面側(手前側)とし、紙面右上側を後面（奥側）として説明している。
【００１３】
図５の符号１は、厨房に配置されるキッチン台１であり、このキッチン台１のカウンター２の上には、加熱機器４、シンク５、蛇口６等が設けられるとともに、キッチン台１の側周面の一部である正面には、加熱機器４の操作部３や複数の引出し９が設けられている。各引出し９の正面側には、該引出し９の収納部（図示略）をキッチン台１の本体内部から引出し自在とするための開口（図示略）を閉塞可能な正面板７が取り付けられており、各正面板７の上部には、正面板７の左右方向の全幅に渡って延びる取手２９が配置されている。この取手２９は、側面視で正面側が開口された略コ字形状を成している。
【００１４】
これら引出し９のうち、最上段の引出し９における正面板７の上端縁部には、物品の一例であるタオル８を保持する物品保持具１０が取り付けられている。このタオル８は、長手方向に４つ折り（２つ折り以上）に折り畳まれた状態で物品保持具１０に挟持されて吊下げられている。上段の引出し９における正面板７には、図１に示すように、正面板７の上端部に取手２９が幅方向に延設されており、使用者が該取手２９に手を掛けて引くことで開くことができる。
【００１５】
本実施例１の物品保持具１０は、図１乃至図３に示すように、正面板７の上端の取手２９を前後から挟み込んで引出し正面板７上端に取り付けるための取付部２０に、タオル８を挟持可能に対向配置される一対の挟持片部１１を固着し、該挟持片部１１の手前側すなわち第１挟持片１１ａの上部にカバー体１５を枢着して構成されている。挟持片部１１は縦断面（Ａ−Ａ断面）視でＵ字形状をした樹脂製弾性体であり、タオル８を押込み挟持できる空間部１３を有している。挟持片部１１は第１挟持片１１ａと第２挟持片１１ｂで構成され、両挟持片部１１の内側には、挟み込んだタオル８のずれ落ちを防止するための保持片部１２を設けており、該保持片部１２は複数の凸条からなっている。
【００１６】
カバー体１５は、反取付部（手前側）の開放端部である挟持片部１１の第１挟持片１１ａの上端付近に配置された枢軸１４に、カバー体１５の下端が揺動自在に支軸されており、下端部近傍の内側には手掛り部１６を横方向に条設している。このような構成とすることで、タオル等を開口端部から押し込む際に、手掛り部１６に指を掛けて上方に揺動させ手前側に引くことができ、開放端部の空間を広げ易くしている。また、カバー体１５は枢軸１４を支軸部として、取付部２０方向（奥側）に図示しないコイルバネ２５等の付勢手段１７で付勢されている。
【００１７】
次いで、取付部２０について説明する。取付部２０は図３及び図４に示す如く、第１取付片２１ａと第２取付片２１ｂと軸体２２とバネ２５で構成され、第１取付片２１ａと第２取付片２１ｂの軸受孔２４に軸体２２を貫通支軸させて、揺動自在に連結される。軸体２２にはバネ２５が巻きつけられており、該バネ２５により両取付片の下端側が狭まる方向に付勢されている（図３の実線を参照）。
したがって、引出し９の取手２９に物品保持具１０を取り付けるには、該引出し９を引出した後に、前後の取付片の上端部分を摘み強く握ることで下端部を広げて、取手２９の上端から挟み込みむことで、簡単に物品保持具１０を引出し正面板７の上端に取り付けることができる。
【００１８】
取付部２０の第１取付片２１ａ及び第２取付片２１ｂはともに、起立片２６、中間片２７、垂下片２７及び該起立片２６の両端の軸受片２３で構成される。引出し９の正面板７に取り付けた時に引出し９の内側に配置される第２取付片２１ｂの垂下片２７は、少なくとも弾性変化可能な板体が用いられる。物品保持具１０を引出し正面板７から取外した状態での取付部２０は図３に示す如く、該垂下片２７と中間片２７は９０度以下の鋭角となるように形勢されており、その下端は第１取付片２１ａ側に湾曲させて形成される。
このようにすることで正面板７又は取手２９部分の厚みが異なっている場合であっても、本発明の物品保持具１０を容易に取り付けることができる。特に第１垂下片２７の下端を湾曲させているため、正面板内面を傷つけることなく取り付けることができる。
【００１９】
以上、本発明の実施例を図面により説明してきたが、具体的な構成はこれら実施例に限られるものではなく、本発明の要旨を逸脱しない範囲における変更や追加があっても本発明に含まれる。
【００２０】
例えば、前記実施例では、物品保持具１０が設けられるキッチン台１を一例として、厨房に設置される対面式のキッチンカウンター２に適用されていたが、本発明はこれに限定されるものではなく、例えば側周面の一部（例えば背面）を壁面等に当接した状態で設置されるキッチンカウンター２２に本発明の物品保持具１０を設けてもよい。
さらに、厨房に設置されるキッチンカウンター２２に限らず、ダイニングに設置されるキッチン台１であっても良く、洗面所に設置される洗面カウンタ、あるいはその他の種々の目的で使用されるカウンタやキャビネット等の什器類に本発明の物品保持具１０を設けても良い。
【００２１】
また、前記実施例では、キッチンカウンター２の側周面の一例である正面に物品保持具１０が設けられていたが、物品保持具１０の配置位置は正面に限定されるものではなく、キッチンカウンター２の上面（天板面）及び底面以外の面である左右側面や背面の所定個所に設けても良い。
【００２２】
また、前記実施例では、物品保持具１０の取付部２０は、引出し９の正面板７の上端縁部を挟持させて取り付けできるように構成されていたが、本発明はこれに限定されるものではなく、接着剤やネジなどにより取り付けてもよい。また、第２挟持片１１ｂを取付部２０に兼用して、第２取付片２１ｂを取付部２０として、被取付部のキッチンカウンター２の側周面の任意の位置に両面テープによる取付を行っても良い。
【００２３】
更に、前記実施例では、引出しにおける正面枠板の前面に形成された収容凹部を開閉自在とする正面板７の上端縁の取手２９に取り付けられていたが、本発明はこれに限定されるものではなく、物品保持具１０としてのタオル８を、特に図示はしないが、天板の直下等に引き出し自在に設けられる補助テーブル等の前端に取り付けられる正面板７や、引戸或いは開き扉等、キッチンカウンター２の側周面に対して手前側に引き出し（開放）自在に設けられた種々の板材に取り付けてもよい。
【００２４】
また、本発明の物品保持具１０は、前記実施例に記載したようにキッチンカウンター２の側周面に対して手前側に引き出し自在に設けられた種々の板材（正面板７等）だけでなく、キッチンカウンター２の側周面に固定された幕板等の上端縁に取り付けてもよいし、あるいは保持具における取り付け部に磁石や接着剤またはネジ等の固定手段を設け、該固定手段を介してキッチンカウンター２における側周面に直接取り付けてもよい。
【図面の簡単な説明】
【００２５】
【図１】実施例１の物品保持具をキッチン台の引出し正面板に取り付けた状態を示す斜視図である。
【図２】本実施例１のカバー体を回動させた時の斜視図である。
【図３】図１のＡ−Ａ縦断面図で正面板を除いた物品保持具のみの説明図である。
【図４】本実施例１の取付部の構造を説明する斜視図である。
【図５】本実施例１の物品保持具を取付た状態のキッチン台を示す斜視図である。
【符号の説明】
【００２６】
１  キッチン台
２  カウンター（天板）
３  操作部
４  加熱機器
５  シンク
６  蛇口（水栓）
７  正面板
８  タオル
９  引出し
１０  物品保持具
１１  挟持片部
１１ａ  第１挟持片
１１ｂ  第２挟持片
１２  保持片部
１３  空間部（保持空間）
１４  枢軸
１５  カバー体
１６  手掛り部
１７  不勢手段
２０  取付部
２１ａ  第１取付片
２１ｂ  第２取付片
２２  軸体
２３  軸受片
２４  軸受孔
２５  バネ
２６  起立片
２７  中間片
２８  垂下片
２９  取手
【図１】
2009183527.tif 000003
【図２】
2009183527.tif 000004
【図３】
2009183527.tif 000005
【図４】
2009183527.tif 000006
【図５】
2009183527.tif 000007